(57)【要約】【課題】 本発明は、第１端子部、駆動部及び第２端子部を内蔵するケースとスイッチコントローラーが具備されて、前記スイッチコントローラーの電気信号によって作動する前記駆動部の動力を印加されて作動する第１端子部が可変端子機能を遂行して、電動式で電子製品などの電源を遮断する電動式電源制御装置を提供する。【解決手段】 前記のような本発明によると、電子製品などの電源を遮断することができて、残余電流による電力損失を減らすことができる効果がある。また、別にスイッチコントローラーが具備されて使用が便利で、多様なセンサーが動員されて自動で電源を遮断することができる効果がある。【選択図】図１ｂ
2010118332.tif 000002
【特許請求の範囲】
【請求項１】
電気製品に提供される電源供給を制御する電動式電源制御装置において、
ケース１１０と、
該ケースの内部後端部に設置されて、第１電源供給線１４ａの終端が接続される連結端子１２と、
前記連結端子の終端に接続されながら直線往復運動または回転運動によって前記連結端子と第２端子部９０との間に電気を通電または断電されるように制御する第１端子部４０と、
前記ケースの内部中央下端に設置されて、前記第１端子部４０の前記直線往復運動または前記回転運動ができるようにする動力を提供する駆動部６０と、
前記ケースの内部前端部に設置されて、前記第１端子部４０と接触して前記第１端子部４０の前記直線運動または前記回転運動に対応して電気が通電または断電されることができる前記第２端子部９０と、
前記駆動部６０と電気的に連結されながら前記駆動部６０の作動を制御することができるスイッチコントローラー１００とを、含むことを特徴とする電動式電源制御装置。
【請求項２】
前記第１端子部４０は、
前記第２端子部９０と前記連結端子１２との間に電気が通じるように形成される通電部４６と、
前記通電部４６と交差しながら前記第２端子部９０と前記連結端子１２との間に電気を断電させるように形成される断電部４８とを、具備することを特徴とする請求項１に記載の電動式電源制御装置。
【請求項３】
前記駆動部６０は、
回転モーター６２と、
一端が前記回転モーター６２の一端に装着されて前記回転モーター６２の回転力を伝達される動力伝達軸６４と、
前記動力伝達軸６４の他端と結合して前記回転モーター６２の回転力を伝達するピニオンギア６６とを、具備して、
前記第１端子部４０は、
前記ピニオンギア６６に対応して、下部面で前記下部面の左右方向に形成されながら前記回転モーター６２で前記回転力を伝達されるラック歯車５０を具備して左右直線往復運動をすることを特徴とする請求項２に記載の電動式電源制御装置。
【請求項４】
前記駆動部６０は、線形推進力を伝達する振動子７２を具備する線形モーター７０を含み、
前記第１端子部４０は、下部または正面で前記振動子７２と固定されるように結合しながら前記線形推進力を伝達されて、左右、前後または上下直線往復運動のうちでいずれか一つの直線往復運動をすることを特徴とする請求項２に記載の電動式電源制御装置。
【請求項５】
前記駆動部６０は、
回転モーター６２と、
一端が前記回転モーター６２の一端に装着されて、前記回転モーター６２の回転力を伝達される動力伝達軸６４と、
前記動力伝達軸６４の外周面に形成される雄ねじ６４ａとを、具備して、
前記第１端子部４０は、
中央部に形成されるねじ溝と、
前記ねじ溝で前記雄ねじ６４ａに対応するように形成され、前記回転力を伝達される雌ねじを具備し前後直線往復運動することを特徴とする請求項２に記載の電動式電源制御装置。
【請求項６】
前記駆動部６０は、
回転モーター６２と、
一端が前記回転モーター６２の一端に装着されて、前記回転モーター６２の回転力を伝達される動力伝達軸６４を具備し、
前記第１端子部４０は、前記動力伝達軸６４と固定されるように結合して、前記回転力を伝達されて回転運動することを特徴とする請求項２に記載の電動式電源制御装置。
【請求項７】
前記第２端子部９０は、
一端が前記ケースの前端内側面に固定される固定端子９２と、
一端が前記固定端子９２の他端に固定されるように結合するスプリング９４ａと、
前記スプリング９４ａの他端に固定されるように結合する第２可変端子９６を具備することを特徴とする請求項１に記載の電動式電源制御装置。
【請求項８】
前記第２端子部９０は、
一端が前記ケースの前端内側面に固定される固定端子９２と、
前記固定端子９２の他端に形成される可変端子溝９８と、
前記可変端子溝９８の内側後方に一端が密着されるように接触するスプリング９４ｂと、
前記可変端子溝９８に収納されて、一端が前記スプリング９４ｂと密着されるように接触して、他端が前記可変端子溝９８で突出されるボール形状の第２可変端子９６とを、具備することを特徴とする請求項１に記載の電動式電源制御装置。
【請求項９】
前記第２端子部９０は、
後端に両側面に沿って形成される突起ガイド溝１２８を具備する固定端子９２と、
前端に前記固定端子９２の後端が挿入されることができる挿入ホール１２４と、前記挿入ホール１２４の左右内側面で前記突起ガイド溝１２８に対応する突起１２６を具備する第２可変端子９６とを、具備するが、
前記第２可変端子９６の後端は、前記第１端子部４０と電気が通電されるように固定されるように結合することを特徴とする請求項１に記載の電動式電源制御装置。
【請求項１０】
前記スイッチコントローラー１００は、ユビクォトスセンサー、事物感知センサー、リモコンセンサーまたはワンタッチスイッチのうちで少なくともいずれか一つで印加される電気信号によってオン電源信号またはオフ電源信号を出力しながら前記駆動部６０の作動を制御することを特徴とする請求項２に記載の電動式電源制御装置。
【発明の詳細な説明】
【技術分野】
【０００１】
本発明は、電動式電源制御装置に関するものであり、第１端子部、駆動部及び第２端子部を内蔵するケースとスイッチコントローラーを具備し、前記駆動部によって駆動される第１端子部が可変端子機能を遂行し、電子製品などの電源を制御する電動式電源制御装置に関するものである。
【背景技術】
【０００２】
産業の発展とともに数多くの電子製品が各家庭または事務室に普及され、このような多くの種類の電子製品などが同時に使われることで電力の消耗が増加している。
このような電子製品に電源を供給するために前記電子製品のプラグを接続することができる多数のソケットを具備するコンセントを壁体に設置して使うか、またはマルチタップを利用するのが現実である。しかし、美観上の理由でコンセントまたはマルチタップは視野によく入って来ない位置に設置されている。
また電子製品の電源をオフしてもコンセントまたはマルチタップからプラグを完全に除去しなければ、残余電流によって電力損失が生じる問題が発生する。しかし、壁体に設置されたコンセントに接続されたプラグまたは目によく立たない所に位置させたマルチタップからプラグを除去することは容易ではなく、電力損失を減らすことができない問題が依然として残っている。
これを解決するためにマルチタップ本体一側で一定長さのスイッチ線を別に付着して、そのスイッチ線の一側末端に電源遮断スイッチを連結する方案が提示された。しかし、これは電線を延長形成しなければならないことにより美観上清潔ではなく、二つの電線ラインのうちでいずれか一つにスイッチが付着されたものであるので、電源を完全に遮断することができず、遮断するとは言っても完全に遮断することができないことで落雷による漏電、または感電が発生し事故の危険に発展するという問題があった。
【発明の概要】
【発明が解決しようとする課題】
【０００３】
本発明は、前記のような問題を解決するために案出されたものであり、より詳細には、第１端子部、駆動部及び第２端子部を内蔵するケースとスイッチコントローラーが具備されており、前記スイッチコントローラーの電気信号によって作動する前記駆動部の動力を印加されて作動する第１端子部が可変端子機能を遂行して電動式で電子製品などの電源を遮断する電動式電源制御装置を提供することを目的とする。
【課題を解決するための手段】
【０００４】
前記のような目的を達成するための本発明の電動式電源制御装置は、電気製品に提供される電源供給を制御する電動式電源制御装置において、ケース１１０と、該ケースの内部後端部に設置されて、第１電源供給線１４ａの終端が接続される連結端子１２と、該連結端子の終端に接続されながら直線往復運動または回転運動によって前記連結端子と第２端子部９０との間に電気を通電または断電されるように制御する第１端子部４０と、前記ケースの内部中央下端に設置されて、前記第１端子部４０の前記直線往復運動または前記回転運動ができるようにする動力を提供する駆動部６０と、前記ケースの内部前端部に設置されて、前記第１端子部４０と接触して前記第１端子部４０の前記直線運動または前記回転運動に対応して電気が通電または断電されることができる前記第２端子部９０と、前記駆動部６０と電気的に連結されながら前記駆動部６０の作動を制御することができるスイッチコントローラー１００とを、含むことを特徴とする。
前記第１端子部４０は、前記第２端子部９０と前記連結端子１２との間に電気が通じるように形成される通電部４６と、該通電部４６と交差しながら前記第２端子部９０と前記連結端子１２との間に電気を断電させるように形成される断電部４８とを、具備することを特徴とする。
前記駆動部６０は、回転モーター６２と、一端が前記回転モーター６２の一端に装着されて、前記回転モーター６２の回転力を伝達される動力伝達軸６４と、該動力伝達軸６４の他端と結合して前記回転モーター６２の回転力を伝達するピニオンギア６６とを、具備して、前記第１端子部４０は前記ピニオンギア６６に対応して、下部面で該下部面の左右方向に形成されながら前記回転モーター６２で前記回転力を伝達されるラック歯車５０とを、具備して左右直線往復運動をすることを特徴とする。
前記駆動部６０は、線形推進力を伝達する振動子７２を具備する線形モーター７０を含んで、前記第１端子部４０は下部または正面で前記振動子７２と固定されるように結合しながら前記線形推進力を伝達されて左右、前後または上下直線往復運動のうちでいずれか一つの直線往復運動をすることを特徴とする。
前記駆動部６０は、回転モーター６２と、一端が前記回転モーター６２の一端に装着されて前記回転モーター６２の回転力を伝達される動力伝達軸６４と、該動力伝達軸６４の外周面に形成される雄ねじ６４ａとを、具備して、前記第１端子部４０は、中央部に形成されるねじ溝と、該ねじ溝で前記雄ねじ６４ａに対応するように形成されて、前記回転力を伝達される雌ねじを具備して前後直線往復運動することを特徴とする。
前記駆動部６０は、回転モーター６２と、一端が前記回転モーター６２の一端に装着されて、前記回転モーター６２の回転力を伝達される動力伝達軸６４とを、具備して、前記第１端子部４０は前記動力伝達軸６４と固定されるように結合して前記回転力を伝達されて回転運動することを特徴とする。
前記第２端子部９０は、一端が前記ケースの前端内側面に固定される固定端子９２と、一端が前記固定端子９２の他端に固定されるように結合するスプリング９４ａと、該スプリング９４ａの他端に固定されるように結合する第２可変端子９６とを、具備することを特徴とする。
前記第２端子部９０は、一端が前記ケースの前端内側面に固定される固定端子９２と、該固定端子９２の他端に形成される可変端子溝９８と、該可変端子溝９８の内側後方に一端が密着されるように接触するスプリング９４ｂと、前記可変端子溝９８に収納されて一端が前記スプリング９４ｂと密着されるように接触して、他端が前記可変端子溝９８で突出されるボール形状の第２可変端子９６とを、具備することを特徴とする。
前記第２端子部９０は、後端に両側面に沿って形成される突起ガイド溝１２８を具備する固定端子９２と、前端に前記固定端子９２の後端が挿入されることができる挿入ホール１２４と、該挿入ホール１２４の左右内側面で前記突起ガイド溝１２８に対応する突起１２６を具備する第２可変端子９６とを、具備するが、前記第２可変端子９６の後端は前記第１端子部４０と電気が通電されるように固定されるように結合することを特徴とする。
前記スイッチコントローラー１００は、ユビクォトスセンサー、事物感知センサー、リモコンセンサーまたはワンタッチスイッチのうちで少なくともいずれか一つから印加される電気信号によってオン電源信号またはオフ電源信号を出力しながら前記駆動部６０の作動を制御することを特徴とする。
【発明の効果】
【０００５】
前記のような本発明によると、電子製品などの電源を遮断することができて残余電流による電力損失を減らすことができる効果がある。また、別にスイッチコントローラーが具備されて使用が便利で、多様なセンサーが動員されて自動で電源を遮断することができる効果がある。
【図面の簡単な説明】
【０００６】
【図１ａ】本発明の第１実施例である電動式電源制御装置の分解斜視図である。
【図１ｂ】本発明の第１実施例による電動式電源制御装置の斜視図である。
【図１ｃ】本発明の第１実施例による電動式電源制御装置の断面図である。
【図１ｄ】本発明の第１実施例による電動式電源制御装置の後端正面図である。
【図１ｅ】本発明の第１実施例である電動式電源制御装置によるスイッチコントローラー装着状態図である。
【図１ｆ】本発明の第１実施例による電動式電源制御装置の第２端子部の他の実施例を示す斜視図である。
【図１ｇ】本発明の第２端子部が弾性的に第１端子部に接触する他の実施例を示す図面である。
【図２ａ】本発明の第２実施例である電動式電源制御装置１ｂの分解斜視図である。
【図２ｂ】本発明の第２実施例による電動式電源制御装置の斜視図である。
【図２ｃ】本発明の第２実施例である電動式電源制御装置によるスイッチコントローラー設置状態図である。
【図３】本発明の第３実施例である電動式電源制御装置１ｃの斜視図である。
【図４ａ】本発明の第４実施例による電動式電源制御装置１ｄの分解斜視図である。
【図４ｂ】本発明の第４実施例による電動式電源制御装置１ｄの斜視図である。
【図５】本発明の第５実施例である電動式電源制御装置１ｆの分解斜視図である。
【図６】本発明の第２端子部が第１端子部に接触するまた他の実施例を示す図面である。
【図７ａ】本発明の第６実施例である電動式電源制御装置１ｆの分解斜視図である。
【図７ｂ】本発明の第６実施例である電動式電源制御装置１ｆの斜視図である。
【発明を実施するための形態】
【０００７】
以下、本発明が属する技術分野で通常の知識を有した者が本発明を容易に実施することができる程度に本発明の望ましい実施例を添付された図面を参照して説明すると次のようである。
本発明の電動式電源制御装置は、電気製品に提供される電源供給を制御する電動式電源制御装置において、ケース１１０と、該ケースの内部後端部に設置されて、第１電源供給線１４ａの終端が接続される連結端子１２と、該連結端子の終端に接続されながら直線往復運動または回転運動によって前記連結端子と第２端子部９０との間に電気を通電または断電されるように制御する第１端子部４０と、前記ケースの内部中央下端に設置されて、前記第１端子部４０の前記直線往復運動または前記回転運動ができるようにする動力を提供する駆動部６０と、前記ケースの内部前端部に設置されて、前記第１端子部４０と接触して前記第１端子部４０の前記直線運動または前記回転運動に対応して電気が通電または断電されることができる前記第２端子部９０と、前記駆動部６０と電気的に連結されながら前記駆動部６０の作動を制御することができるスイッチコントローラー１００とを、含んで構成されて駆動部６０の駆動と第１端子部４０の直線運動または回転運動によって電気が通電または断電されることができる。
図１ａは、本発明の第１実施例である電動式電源制御装置の分解斜視図である。図１ａを参照して電動式電源制御装置１ａの左右運動に対して説明する。そして、図１に示すように二つの連結端子１２それぞれに第１端子部４０が接触されることができる実施例に対して以下説明する。
前記第１端子部４０は、前記第２端子部９０と前記連結端子１２との間に電気が通じるように形成される通電部４６と、該通電部４６と交差しながら前記第２端子部９０と前記連結端子１２との間に電気を断電させるように形成される断電部４８とを、具備することができる。したがって、前記二つの連結端子１２の終端に接触されながら直線往復運動または回転運動によって前記連結端子と第２端子部との間に電気を通電または断電されるように制御することができる。
第１端子部４０の形状は、四角板の四角胴体４２または円形板の円形胴体４４を具備して構成されることができる。四角板形状胴体４２から通電部４６と断電部４８は、正面の長さ方向に交差するように配列されることができる。また、円形板形状の胴体４４では正面の外角に沿って交差するように配列されることができる。
通電部４６は、前記胴体４２、４４に貫入して設置されるが、電気がよく伝達することができる材質で構成されることが望ましい。例えば、材質として銅などが使われることができる。
断電部４８は、第２端子部９０と連結端子１２との間に電気が通じないように電気を断電する機能を遂行する。
左右運動ができるようにする前記駆動部６０は、回転モーター６２と、一端が前記回転モーター６２の一端に装着されて、前記回転モーター６２の回転力を伝達される動力伝達軸６４と、該動力伝達軸６４の他端と結合して前記回転モーター６２の回転力を伝達するピニオンギア６６とを、具備して、前記第１端子部４０の前記直線往復運動ができるようにする動力を提供する。
この場合、前記第１端子部４０は、前記ピニオンギア６６に対応して、下部面で前記下部面の左右方向に形成されながら前記回転モーター６２で前記回転力を伝達されるラック歯車５０を具備することが望ましい。
この時、第１端子部４０の四角胴体４２は図示したように連結端子１２の長さ方向と交差するように配置されて、四角胴体４２の下部面にラック歯車５０が形成されることが望ましい。ラック歯車５０は、ピニオンギア６６とそれぞれのギアが噛み合って回転するピニオンギア６６の回転力を直線運動で切り替えることができる。
四角胴体４２に接触する連結端子１２の前端は、ラウンド形状で構成して第１端子部４０及び連結端子１２の摩耗を最小化しながら第１端子部４０の直線運動を容易にすることが望ましい。
作動状態を説明すると、回転モーター６２の駆動でラック歯車５０が回転モーター６２の回転力を直線運動で切り替えて、第１端子部４０が左右運動するようになるが、通電部４６が連結端子１２と第２端子部９０が一直線をなすようになれば電気が通電されて、断電部４８が連結端子１２及び第２端子部９０と接触すると電気が断電される。
第２端子部が弾性的に第１端子部に接触する一実施例を以下説明する。
前記第２端子部９０は、一端が前記ケースの前端内側面に固定される固定端子９２と、一端が前記固定端子９２の他端に固定されるように結合するスプリング９４ａと、該スプリング９４ａの他端に固定されるように結合する第２可変端子９６とを、具備することができる。したがって、前記第１端子部４０に密着されるように弾性的に接触して、前記第１端子部４０の前記直線運動時に第２端子部９０が第１端子部で離隔されることを防止することができる。
固定端子９２は、ケース１１０の後方に固定されるように装着されて電気製品に電源を供給する第２電源供給線１４ｂが連結される。
スプリング９４ａは、後述する第２可変端子９６が第１端子部４０と密着された接触ができるようにする機能を遂行する。スプリング９４ａは、固定端子９２または第２可変端子９６のような材質にするか、または伝導性が高い材質で構成されることが望ましい。
四角胴体４２に接触する第２可変端子９６の後端は、ラウンド形状で構成して第１端子部４０及び第２可変端子９６の摩耗を最小化しながら第１端子部４０の直線運動を容易にすることが望ましい。
図１ｂは、本発明の第１実施例による電動式電源制御装置の斜視図であり、図１ｃは本発明の第１実施例による電動式電源制御装置の断面図であり、図１ｄは本発明の第１実施例による電動式電源制御装置の後端正面図である。図１ｂないし図１ｄを参照すると、ケース１１０が具備されてケース１１０の内部に形成される収納溝に連結端子１２、第１端子部４０、駆動部６０及び第２端子部９０が内臓設置される。
ケース１１０の後端上面にはボルトホール１１４ｂが形成されて、ケース１１０の後端外側面には第１電源供給線１４ａの終端が挿入されることができる電源供給線ホール１１７が形成される。電源供給線ホール１１７とボルトホール１１４ｂは連通されて、ボルトホール１１４ｂを通じて挿入されたボルト１２２ｂと電源供給線ホール１１７を通じて挿入された第１電源供給線１４ａの終端を結合させることが望ましい。
連結端子１２の後端面は、ケース１１０の後端内側面に図示したように固定されるように設置されて、ボルト１２２ｂと結合する第１電源供給線１４ａの終端と電気的に接続するようになる。連結端子１２が固定されるように設置された後連結端子１２の前端面は第１端子部４０と接続される。
ケース１１０の前端には、電源供給線ホール１１６が形成されて、電源供給線ホール１１６でケース１１０の上面に貫通されるボルトホール１１４ａと連通されて、第２電源供給線１４ｂが電源供給線ホール１１６に挿入された後、ボルトホール１１４ａに挿入されるボルト１２２ａと接続される。第２電源供給線１４ｂの終端は第２端子部９０と電気的に接続される。
また、ケース１１０前端の電源供給線ホール１１８には、駆動部電源供給線６８が挿入されて、駆動部６０と電気的に接続される。
図１ｅ及び図１ｆは、本発明の第１実施例である電動式電源制御装置によるスイッチコントローラー装着状態図である。図１ｅを参照すると、本発明１ａによる電動式電源制御装置の多様な設置例が分かる。図示したように本発明による電動式電源制御装置が２個具備されてテレビ２と電灯にそれぞれ電気的に連結されている。
前記スイッチコントローラー１００は、ユビクォトスセンサー、事物感知センサー、リモコンセンサーまたはワンタッチスイッチのうちで少なくともいずれか一つで印加される電気信号によってオン電源信号またはオフ電源信号を出力しながら前記駆動部６０の作動を制御することを特徴とする。
スイッチコントローラー１００は、前記駆動部６０と駆動部電源供給線６８を通じて電気的に連結されながら前記駆動部６０の作動を制御する。スイッチコントローラー１００は、オン(ｏｎ)電源信号を出力しながら第１端子部４０の通電部４６が第２端子部９０と連結端子１２と接続して、電気が通電されることができるように前記駆動部６０を駆動するように制御して、オフ(ｏｆｆ)電源信号を出力しながら第１端子部４０の通電部４６が第２端子部９０と連結端子１２との接続が切れるように駆動部６０を駆動するように制御する。
スイッチコントローラー１００の設置位置は、計量器内に設置されることもできて、室内のどの位置でも設置が可能である。スイッチコントローラー１００は、ユビクォトスシステムを利用して人が家に入らなくてもコードレス通信によってオン／オフ電源信号を出力することができる。または、室内出入口の隣接位置にスイッチコントローラー１００が設置される場合、人が入って来て出かけることを感知する感知センサー１０４によって人が家外に出ればオフ電源信号を出力することもできる。または、ワンタッチスイッチを具備して、オン電源信号またはオフ電源信号を出力することもできる。ひいては、リモコン感知センサーを装着して人がリモコンの作動によってオン電源信号またはオフ電源信号を出力することもできる。
図示したように、本発明の第１実施例である電動式電源制御装置１ａは、ワンタッチスイッチ１０８を具備するスイッチコントローラー１００がテレビのような電子製品２と離れて設置されていることが分かる。
図１ｆを参照すると、本発明１ａが多数個具備されて一つのスイッチコントローラー１００ａによって制御されることができることを分かる。図示したように本発明が、３個が具備されて電灯２ａ、マルチタップ２ｂに第２電源供給線１４ｂを通じて電気的に連結されることができる。この場合、前記３個の本発明は、別に具備されるスイッチコントローラー１００ａがメインスイッチの役割を遂行して本発明の電源を一回に制御することができる。
第２端子部が弾性的に第１端子部に接触する他の実施例を、図１ｇを参照して以下に説明する。
前記第２端子部９０は、一端が前記ケースの前端内側面に固定される固定端子９２と、該固定端子９２の他端に形成される可変端子溝９８と、該可変端子溝９８の内側後方に一端が密着されるように接触するスプリング９４ｂと、前記可変端子溝９８に収納されて一端が前記スプリング９４ｂと密着されるように接触して、他端が前記可変端子溝９８から突出されるボール形状の第２可変端子９６とを、具備することができる。
図２ａは、本発明の第２実施例である電動式電源制御装置１ｂの分解斜視図である。図２ａを参照して電動式電源制御装置１ｂの左右運動に対して敍述する。
前記駆動部６０は、線形推進力を伝達する振動子７２を具備する線形モーター７０を含んで、前記第１端子部４０は下部で前記振動子７２と固定されるように結合しながら前記線形推進力を伝達されて直線往復運動することができる。
線形モーター７０は、図示したように支柱７４の左右側に左右側面支持台７６が固定されるように付着して、左右側面支持台７６の間に振動子７２を外面に挿入したガイドレール７８が設置されることができる。ひいては、線形推進力を発生することができる多様な線形モーターが動員されることが可能なのは当然である。
線形モーター７０の駆動で振動子７２左右運動するようになる時、通電部４６が連結端子１２と第２端子部９０と接触すると電気が通電されて、断電部４８が連結端子１２と第２端子部９０と接触すると電気が断電される。
図１ｂで詳述したように図２ｂでも本発明の第２実施例である電動式電源制御装置１ｂは、ケース１１０が具備されてケース１１０の内部に形成される収納溝に連結端子１２、第１端子部４０、駆動部６０及び第２端子部９０が内臓設置される。
図２ｃは、本発明の第２実施例である電動式電源制御装置によるスイッチコントローラー設置状態図である。図２ｃを参照すると、図１ｅで詳述したところのように、図２ｃでも本発明の第２実施例である電動式電源制御装置１ｂの一つがコンセント後方に設置されて、スイッチ１００と電気的に連結される。また、室内空間の上部に本発明の第２実施例である電動式電源制御装置１ｂが設置されて、電灯のような電気器機と電気的に連結されることができる。
図３は、本発明の第３実施例である電動式電源制御装置１ｃの斜視図である。図３を参照して本発明の第３実施例である電動式電源制御装置１ｃによる第１端子部の上下運動に対して説明する。
前記駆動部６０は、線形推進力を伝達する振動子７２を具備する線形モーター７０を含んで、前記第１端子部４０は正面で前記振動子７２と直交する方式で固定されるように結合しながら前記線形推進力を伝達されて上下直線往復運動をすることができる。
第１端子部４０ａは、左右対称になるように両端に隣接する位置に通電部４６を形成することができる。振動子７２は第１端子部４０ａの中央部分に固定されるように付着することが望ましい。通電部４６が振動子７２の線形推進力を伝達されて上下運動をして通電部が連結端子１２と第２端子部９０と接続が離れると電源が遮られることができる。
図４ａは、本発明の第４実施例による電動式電源制御装置１ｄの分解斜視図であり、図４ｂは本発明の第４実施例による電動式電源制御装置１ｄの斜視図である。図４ａ及び図４ｂを参照して第１端子部の前後進運動に対して説明する。
前記第１実施例と異なり、前記駆動部６０は、回転モーター６２と、一端が前記回転モーター６２の一端に装着されて前記回転モーター６２の回転力を伝達される動力伝達軸６４と、該動力伝達軸６４の外周面に形成される雄ねじ６４ａとを、具備することができる。
そして、前記第１端子部４０は、中央部に形成されるねじ溝と、該ねじ溝で前記雄ねじ６４ａに対応するように形成されて、前記回転力を伝達される雌ねじとを、具備して直線往復運動をすることができる。
作動状態を説明すると、回転モーター６２の駆動で第１端子部４０が第２端子部９０に向けて前進すると、通電部４６が連結端子１２と離隔されて電気が断電されることがある。
ひいては図示しなかったが、第１端子部の側面に前後方向にラック歯車を形成して、これに対応するピニオンギアと結合した回転モーターの駆動で第１端子部の前後進運動をするようにすることもできる。また、線形モーターの振動子を第１端子部の側面に前後方向に結合させて、線形モーターの駆動で第１端子部の前後進運動を制御することもできることは当然である。
図５は、本発明の第５実施例による電動式電源制御装置１ｅの斜視図である。図５を参照すると、前記駆動部６０は線形推進力を伝達する振動子７２を具備する線形モーター７０を含んで、
前記第１端子部４０は、下部で前記振動子７２と直交する方式で固定されるように結合しながら前記線形推進力を伝達されて前後直線往復運動をすることができる。
第１端子部４０ａは、左右対称になるように両端に隣接する位置に通電部４６を形成することができる。振動子７２は、第１端子部４０ａの中央部分に固定されるように付着することが望ましい。通電部４６が振動子７２の線形推進力を伝達されて前後運動をして通電部が連結端子１２と第２端子部９０の接続が離れると電源が遮られることができる。
第２端子部が第１端子部に接触するまた他の実施例を、図６を参照して以下に説明する。
前記第２端子部９０は、後端に両側面に沿って形成される突起ガイド溝１２８を具備する固定端子９２と、前端に前記固定端子９２の後端が挿入されることができる挿入ホール１２４と、該挿入ホール１２４の左右内側面で前記突起ガイド溝１２８に対応する突起１２６を具備する第２可変端子９６とを、具備するが、前記第２可変端子９６の後端は前記第１端子部４０と電気が通電されるように固定されるように結合することを特徴とする。
図示したような第２端子部が第１端子部に接触するまた他の実施例は、第１端子部が前後進運動をしながら連結端子１２と通電または断電される実施例に適用されることが望ましい。
第１端子部４０ａは両端に対称になるよう通電部４６を形成して、通電部４６に第２可変端子９６が接続するようになるが、第２可変端子９６は第１端子部４０の通電部４６に固定されるように接続されていると第１端子部４０の前後進運動による断電現象を防止することができる。
図７ａは、本発明の第６実施例である電動式電源制御装置(１ｆ)の分解斜視図であり、図７ｂは本発明の第６実施例である電動式電源制御装置(１ｆ)の斜視図である。図７ａ及び図７ｂを参照して第１端子部の回転運動を説明する。
前記駆動部６０は、回転モーター６２と、一端が前記回転モーター６２の一端に装着されて、前記回転モーター６２の回転力を伝達される動力伝達軸６４とを、具備して、前記第１端子部４０は前記動力伝達軸６４と固定されるように結合して、前記回転力を伝達し回転運動することができる。
この場合、第１端子部４０は、円形板形状の円形胴体４４を形成して、円形胴体４４の外角に隣接して、通電部４６と断電部４８が交差するように配列されることが望ましい。
作動状態を見ると、回転モーター６２の駆動で第１端子部の円形胴体４４が回転する時に通電部４６が連結端子１２と第２端子部９０と接触すると電気が通電されて、反対に断電部４８が連結端子１２と第２端子部９０と接触すると電気が断電される。
本発明は、以上で説明したように望ましい実施例を挙げて説明したが、前記した実施例に限定されず、添付された特許請求範囲によって解釈されなければならない。また、当該発明が属した技術分野で通常の知識を有した者によって本発明の技術思想と添付された特許請求範囲の均等範囲内で多様な修正及び変形が可能であることは勿論である。
【符号の説明】
【０００８】
４０  第１端子部
４６  通電部
４８  断電部
５０  ラック歯車
６０  駆動部
６２  回転モーター
６６  ピニオンギア
７０  線形モーター
７２  振動子
９０  第２端子部
９２  固定端子
９４ａ  スプリング
９６  第２可変端子
１００  スイッチコントローラー
【図１ａ】
2010118332.tif 000003
【図１ｂ】
2010118332.tif 000004
【図１ｃ】
2010118332.tif 000005
【図１ｄ】
2010118332.tif 000006
【図１ｅ】
2010118332.tif 000007
【図１ｆ】
2010118332.tif 000008
【図１ｇ】
2010118332.tif 000009
【図２ａ】
2010118332.tif 000010
【図２ｂ】
2010118332.tif 000011
【図２ｃ】
2010118332.tif 000012
【図３】
2010118332.tif 000013
【図４ａ】
2010118332.tif 000014
【図４ｂ】
2010118332.tif 000015
【図５】
2010118332.tif 000016
【図６】
2010118332.tif 000017
【図７ａ】
2010118332.tif 000018
【図７ｂ】
2010118332.tif 000019
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
電気製品に提供される電源供給を制御する電動式電源制御装置において、
ケース１１０と、
前記ケースの内部後端部に設置されて、第１電源供給線１４ａの終端が接続される連結端子１２と、
前記連結端子の終端に接続されながら直線往復運動または回転運動によって前記連結端子と第２端子部９０との間に電気を通電または断電されるように制御する第１端子部４０と、
前記ケースの内部中央下端に設置されて、前記第１端子部４０の前記直線往復運動または前記回転運動ができるようにする動力を提供する駆動部６０と、
前記ケースの内部前端部に設置されて、前記第１端子部４０と接触して前記第１端子部４０の前記直線往復運動または前記回転運動に対応して電気が通電または断電されることができる前記第２端子部９０と、
前記駆動部６０と電気的に連結されながら前記駆動部６０の作動を制御することができるスイッチコントローラー１００とを、含み、
前記第１端子部４０は、
前記第２端子部９０と前記連結端子１２との間に電気が通じるように形成される通電部４６と、
前記通電部４６と交差しながら前記第２端子部９０と前記連結端子１２との間に電気を断電させるように形成される断電部４８とを、具備して、
前記駆動部６０は、
回転モーター６２と、
一端が前記回転モーター６２の一端に装着されて前記回転モーター６２の回転力を伝達される動力伝達軸６４と、
前記動力伝達軸６４の他端と結合して前記回転モーター６２の回転力を伝達するピニオンギア６６とを、具備して、
前記第１端子部４０は、
前記ピニオンギア６６に対応して、下部面で前記下部面の左右方向に形成されながら前記回転モーター６２で前記回転力を伝達されるラック歯車５０を具備して左右直線往復運動をすることを特徴とする電動式電源制御装置。
【請求項２】
電気製品に提供される電源供給を制御する電動式電源制御装置において、
ケース１１０と、
前記ケースの内部後端部に設置されて、第１電源供給線１４ａの終端が接続される連結端子１２と、
前記連結端子の終端に接続されながら直線往復運動または回転運動によって前記連結端子と第２端子部９０との間に電気を通電または断電されるように制御する第１端子部４０と、
前記ケースの内部中央下端に設置されて、前記第１端子部４０の前記直線往復運動または前記回転運動ができるようにする動力を提供する駆動部６０と、
前記ケースの内部前端部に設置されて、前記第１端子部４０と接触して前記第１端子部４０の前記直線運動または前記回転運動に対応して電気が通電または断電されることができる前記第２端子部９０と、
前記駆動部６０と電気的に連結されながら前記駆動部６０の作動を制御することができるスイッチコントローラー１００とを、含み、
前記第１端子部４０は、
前記第２端子部９０と前記連結端子１２との間に電気が通じるように形成される通電部４６と、
前記通電部４６と交差しながら前記第２端子部９０と前記連結端子１２との間に電気を断電させるように形成される断電部４８とを、具備して、
前記駆動部６０は、線形推進力を伝達する振動子７２を具備する線形モーター７０を含み、
前記第１端子部４０は、下部または正面で前記振動子７２と固定されるように結合しながら前記線形推進力を伝達されて、左右、前後または上下直線往復運動のうちでいずれか一つの直線往復運動をすることを特徴とする電動式電源制御装置。
【請求項３】
電気製品に提供される電源供給を制御する電動式電源制御装置において、
ケース１１０と、
前記ケースの内部後端部に設置されて、第１電源供給線１４ａの終端が接続される連結端子１２と、
前記連結端子の終端に接続されながら直線往復運動または回転運動によって前記連結端子と第２端子部９０との間に電気を通電または断電されるように制御する第１端子部４０と、
前記ケースの内部中央下端に設置されて、前記第１端子部４０の前記直線往復運動または前記回転運動ができるようにする動力を提供する駆動部６０と、
前記ケースの内部前端部に設置されて、前記第１端子部４０と接触して前記第１端子部４０の前記直線運動または前記回転運動に対応して電気が通電または断電されることができる前記第２端子部９０と、
前記駆動部６０と電気的に連結されながら前記駆動部６０の作動を制御することができるスイッチコントローラー１００とを、含み、
前記第１端子部４０は、
前記第２端子部９０と前記連結端子１２との間に電気が通じるように形成される通電部４６と、
前記通電部４６と交差しながら前記第２端子部９０と前記連結端子１２との間に電気を断電させるように形成される断電部４８とを、具備して、
前記駆動部６０は、
回転モーター６２と、
一端が前記回転モーター６２の一端に装着されて、前記回転モーター６２の回転力を伝達される動力伝達軸６４と、
前記動力伝達軸６４の外周面に形成される雄ねじ６４ａとを、具備して、
前記第１端子部４０は、
中央部に形成されるねじ溝と、
前記ねじ溝で前記雄ねじ６４ａに対応するように形成され、前記回転力を伝達される雌ねじを具備し前後直線往復運動することを特徴とする電動式電源制御装置。
【請求項４】
電気製品に提供される電源供給を制御する電動式電源制御装置において、
ケース１１０と、
前記ケースの内部後端部に設置されて、第１電源供給線１４ａの終端が接続される連結端子１２と、
前記連結端子の終端に接続されながら直線往復運動または回転運動によって前記連結端子と第２端子部９０との間に電気を通電または断電されるように制御する第１端子部４０と、
前記ケースの内部中央下端に設置されて、前記第１端子部４０の前記直線往復運動または前記回転運動ができるようにする動力を提供する駆動部６０と、
前記ケースの内部前端部に設置されて、前記第１端子部４０と接触して前記第１端子部４０の前記直線運動または前記回転運動に対応して電気が通電または断電されることができる前記第２端子部９０と、
前記駆動部６０と電気的に連結されながら前記駆動部６０の作動を制御することができるスイッチコントローラー１００とを、含み、
前記第１端子部４０は、
前記第２端子部９０と前記連結端子１２との間に電気が通じるように形成される通電部４６と、
前記通電部４６と交差しながら前記第２端子部９０と前記連結端子１２との間に電気を断電させるように形成される断電部４８とを、具備して、
前記駆動部６０は、
回転モーター６２と、
一端が前記回転モーター６２の一端に装着されて、前記回転モーター６２の回転力を伝達される動力伝達軸６４を具備し、
前記第１端子部４０は、前記動力伝達軸６４と固定されるように結合して、前記回転力を伝達されて回転運動することを特徴とする電動式電源制御装置。
【請求項５】
前記第２端子部９０は、
一端が前記ケースの前端内側面に固定される固定端子９２と、
一端が前記固定端子９２の他端に固定されるように結合するスプリング９４ａと、
前記スプリング９４ａの他端に固定されるように結合する第２可変端子９６を具備することを特徴とする請求項１から４のいずれか１項に記載の電動式電源制御装置。
【請求項６】
前記第２端子部９０は、
一端が前記ケースの前端内側面に固定される固定端子９２と、
前記固定端子９２の他端に形成される可変端子溝９８と、
前記可変端子溝９８の内側後方に一端が密着されるように接触するスプリング９４ｂと、
前記可変端子溝９８に収納されて、一端が前記スプリング９４ｂと密着されるように接触して、他端が前記可変端子溝９８で突出されるボール形状の第２可変端子９６とを、具備することを特徴とする請求項１から４のいずれか１項に記載の電動式電源制御装置。
【請求項７】
前記第２端子部９０は、
後端に両側面に沿って形成される突起ガイド溝１２８を具備する固定端子９２と、
前端に前記固定端子９２の後端が挿入されることができる挿入ホール１２４と、前記挿入ホール１２４の左右内側面で前記突起ガイド溝１２８に対応する突起１２６を具備する第２可変端子９６とを、具備するが、
前記第２可変端子９６の後端は、前記第１端子部４０と電気が通電されるように固定されるように結合することを特徴とする請求項１から４のいずれか１項に記載の電動式電源制御装置。
【請求項８】
前記スイッチコントローラー１００は、ユビクォトスセンサー、事物感知センサー、リモコンセンサーまたはワンタッチスイッチのうちで少なくともいずれか一つで印加される電気信号によってオン電源信号またはオフ電源信号を出力しながら前記駆動部６０の作動を制御することを特徴とする請求項１から４のいずれか１項に記載の電動式電源制御装置。